(57)【要約】【課題】複数の発電機を接続して並列運転するとき、並列運転専用のコンセントなどを必要とすることなく、プラグの一方が外れるときも外れたプラグの端子に他方の発電機の出力が現れることがないと共に、さらに発電機の破損も防止するようにした発電機の並列運転接続装置を提供する。【解決手段】２基の発電機の接続用端子を介して機種ＩＤを示す信号を入力し（Ｓ１０，Ｓ１２，Ｓ１６，Ｓ１８）、入力した信号に示される機種ＩＤが予め記憶されているデータに該当するか否か判定し（Ｓ１４，Ｓ２０）、肯定されるとき、開閉装置を閉鎖して導電路を介して２基の発電機を電気負荷に接続すると共に（Ｓ２２）、開閉装置を閉鎖した後、導電路を流れる電流の有無を検出し、電流が検出されないとき、開閉装置を開放して導電路を開放する。【選択図】図３
2010011535.tif 000002
【特許請求の範囲】
【請求項１】
複数の発電機を電気負荷に接続可能な導電路と、前記導電路を開閉する開閉装置とを備え、前記導電路を介して前記複数の発電機を前記電気負荷に接続して並列運転させる接続装置において、前記複数の発電機の接続用端子を介して前記複数の発電機のそれぞれから機種ＩＤを示す信号を入力し、前記入力した信号に示される機種ＩＤが予め記憶されているデータに該当するか否か判定する機種ＩＤ判定手段と、前記入力した信号に示される機種ＩＤが前記データに該当すると判定されるとき、前記開閉装置を閉鎖して前記導電路を介して前記複数の発電機を前記電気負荷に接続すると共に、前記開閉装置を閉鎖した後、前記導電路を流れる電流の有無を検出し、前記電流が検出されないとき、前記開閉装置を開放して前記導電路を開放する開閉装置駆動手段とを備えたことを特徴とする発電機の並列運転接続装置。
【請求項２】
前記予め記憶されているデータが複数の機種ＩＤを含むと共に、前記開閉装置駆動手段は前記入力した信号に示される機種ＩＤが前記データに含まれる複数の機種ＩＤのいずれかに該当すると判定されるとき、前記開閉装置を閉鎖して前記複数の発電機を前記電気負荷に接続することを特徴とする請求項１記載の発電機の並列運転装置。
【請求項３】
前記接続用端子が、前記発電機の故障診断機能または遠隔操作装置の接続用端子であることを特徴とする請求項１または２記載の発電機の並列運転装置。
【発明の詳細な説明】
【技術分野】
【０００１】
この発明は発電機の並列運転接続装置に関し、より具体的には複数の発電機を接続して並列運転する装置に関する。
【背景技術】
【０００２】
複数、例えば２基の発電機を接続して並列運転する場合、発電機の一方と接続しているプラグが外れると、その端子（ブレード）には他方の発電機の出力がそのまま現れることから、従来、発電機に絶縁カバーで被覆した並列運転専用のコンセントを予め設けておくと共に、並列運転時にはそれを専用ケーブルで接続していた。
【０００３】
また、下記の特許文献１に記載されるように、複数、例えば２基の発電機を接続して並列運転する場合、発電機の一方と接続しているプラグが抜けると、その端子（ブレード）には他方の発電機の出力がそのまま現れることから、下記の特許文献１に記載されるように、２基の発電機の出力コンセントに接続自在な２個のプラグと電気負荷に接続自在な１個の出力コンセントを備えると共に、一方のプラグが抜けたとき、そのアース端子とアース専用端子との間を開放し、後段のリレーのスイッチをオフさせることで、抜けたプラグの端子に他方の発電機の出力がそのまま現れるのを防止している。
【特許文献１】特許第２８６９９０５号公報
【発明の開示】
【発明が解決しようとする課題】
【０００４】
上記した従来技術において、発電機に絶縁カバーで被覆した並列運転専用のコンセントを予め設けておくのは構成が複雑であると共に、汎用性に欠ける不都合がある。また、特許文献１記載の技術も、アース専用端子などを必要とする点で同様の不都合を免れ難いと共に、プラグが外れていない限り、２基の発電機を並列接続するため、両者の出力が大きく相違すると、破損してしまう場合があった。
【０００５】
従って、この発明の目的は上記した課題を解決し、複数の発電機を接続して並列運転するとき、並列運転専用のコンセントなどを必要とすることなく、プラグの一方が外れるときも外れたプラグの端子に他方の発電機の出力が現れることがないと共に、さらに発電機の破損も防止するようにした発電機の並列運転接続装置を提供することにある。
【課題を解決するための手段】
【０００６】
上記した課題を解決するために、請求項１にあっては、複数の発電機を電気負荷に接続可能な導電路と、前記導電路を開閉する開閉装置とを備え、前記導電路を介して前記複数の発電機を前記電気負荷に接続して並列運転させる接続装置において、前記複数の発電機の接続用端子を介して前記複数の発電機のそれぞれから機種ＩＤを示す信号を入力し、前記入力した信号に示される機種ＩＤが予め記憶されているデータに該当するか否か判定する機種ＩＤ判定手段と、前記入力した信号に示される機種ＩＤが前記データに該当すると判定されるとき、前記開閉装置を閉鎖して前記導電路を介して前記複数の発電機を前記電気負荷に接続すると共に、前記開閉装置を閉鎖した後、前記導電路を流れる電流の有無を検出し、前記電流が検出されないとき、前記開閉装置を開放して前記導電路を開放する開閉装置駆動手段とを備える如く構成した。
【０００７】
請求項２に係る発電機の並列運転装置にあっては、前記予め記憶されているデータが複数の機種ＩＤを含むと共に、前記開閉装置駆動手段は前記入力した信号に示される機種ＩＤが前記データに含まれる複数の機種ＩＤのいずれかに該当すると判定されるとき、前記開閉装置を閉鎖して前記複数の発電機を前記電気負荷に接続する如く構成した。
【０００８】
請求項３に係る発電機の並列運転接続装置にあっては、前記接続用端子が、前記発電機の故障診断機能または遠隔操作装置の接続用端子である如く構成した。
【発明の効果】
【０００９】
請求項１に係る発電機の並列運転接続装置にあっては、複数の発電機の接続用端子を介して機種ＩＤを示す信号を入力し、それに示される機種ＩＤが予め記憶されているデータに該当するか否か判定し、肯定されるとき、開閉装置を閉鎖して導電路を介して複数の発電機を電気負荷に接続すると共に、開閉装置を閉鎖した後、電流が検出されないとき、開閉装置を開放して導電路を開放する如く構成したので、並列運転専用のコンセントなどを必要とすることなく、プラグの外れを検知して外れたプラグの端子に他方の発電機の出力が現れるのを防止できると共に、発電機の機種ＩＤが予め記憶されているデータに該当するか否か判定することで接続可能な発電機か否か判断することができ、発電機の破損も防止することができる。
【００１０】
請求項２に係る発電機の並列運転接続装置にあっては、予め記憶されているデータが複数の機種ＩＤを含むと共に、入力した信号に示される機種ＩＤがデータに含まれる複数の機種ＩＤのいずれかに該当すると判定されるとき、複数の発電機を電気負荷に接続する如く構成したので、上記した効果に加え、接続可能な発電機か否かを一層適切に判断することができる。
【００１１】
請求項３に係る発電機の並列運転接続装置にあっては、接続用端子が発電機の故障診断機能または遠隔操作装置の接続用端子である如く構成したので、上記した効果に加え、特別の接続用端子などを必要とすることなく、接続可能な発電機か否かを簡易に判断することができる。
【発明を実施するための最良の形態】
【００１２】
以下、添付図面に即してこの発明に係る発電機の並列運転接続装置を実施するための最良の形態について説明する。
【実施例】
【００１３】
図１は、この発明の実施例に係る発電機の並列運転接続装置を全体的に示すブロック図である。
【００１４】
図示の如く、発電機の並列運転接続装置（符号１０で示す）は、複数、例えば２基の発電機Ａ，Ｂを接続して並列運転させる接続装置である。２基の発電機Ａ，Ｂは共にそれぞれ内燃機関（図示せず。以下「エンジン」という）で駆動される発電機であり、リコイルスタータ（図示せず）を介して始動される。発電機Ａ，Ｂは機種が同一で、例えば単相ＡＣ１００Ｖ・２００Ｖで４．５ｋＶＡ程度の交流出力を生じる。
【００１５】
発電機Ａ，Ｂは、その出力を取り出すための出力コンセントＯａ，Ｏｂを備える。出力コンセントＯａ，Ｏｂは、電圧端子Ｏａ１，Ｏａ２あるいはＯｂ１，Ｏｂ２と、その中間の中性端子Ｏａ３あるいはＯｂ３からなる単相３線端子と、アース端子Ｏａ４，Ｏｂ４とを備える。
【００１６】
装置１０は、２基の発電機Ａ，Ｂの出力コンセントＯａ，Ｏｂにそれぞれ接続自在な少なくとも２個のプラグＰａ，Ｐｂと、電気負荷１２に接続可能な少なくとも１個の出力コンセントＯｅと、２基の発電機Ａ，Ｂを電気負荷１２に接続可能な導電路１４と、導電路１４を流れる電流を検出する電流センサ１６と、マイクロコンピュータからなる電子制御ユニット（Electronic Control Unit。以下「ＥＣＵ」という）２０と、導電路１４を開閉する開閉装置２２とを備えると共に、ＥＣＵ２０は２基の発電機Ａ，Ｂの故障診断機能の接続用端子に信号線２４（２４ａ，２４ｂ）と端子２６（２６ａ，２６ｂ）を介して接続可能なように構成される。
【００１７】
以下、それらを説明する。
【００１８】
プラグＰａ，Ｐｂは、発電機Ａ，Ｂの出力コンセントＯａ，Ｏｂに対応し、電圧端子Ｐａ１，Ｐａ２あるいはＰｂ１，Ｐｂ２と、その中間の中性端子Ｐａ３あるいはＰｂ３からなる単相３線端子と、アース端子Ｐａ４あるいはＰｂ４を備える。プラグＰａ，Ｐｂおよび発電機Ａ，Ｂの出力コンセントＯａ，Ｏｂの構造は、公知の一般的なものである。
【００１９】
装置１０の出力コンセントＯｅも、発電機側の出力コンセントＯａ，Ｏｂと同様、電圧端子Ｏｅ１，Ｏｅ２と、その中間の中性端子Ｏｅ３からなる単相３線端子と、アース端子Ｏｅ４を備える。出力コンセントＯｅは、電気負荷１２のプラグ（図示せず）が差し込まれて電気負荷１２に接続される。
【００２０】
導電路１４は２個のプラグＰａ，Ｐｂと出力コンセントＯｅを接続し、２個のプラグＰａ，Ｐｂを介して入力された発電機Ａ，Ｂの出力を出力コンセントＯｅを介して電気負荷１２に出力する、双方の電圧端子の中の高圧側同士を接続する高圧線１４ａ１，１４ｂ１と、電圧端子の中の低圧側同士を接続する低圧線１４ａ２，１４ｂ２と、中性端子同士を接続する中性線１４ａ３，１４ｂ３、アース端子同士を接続するアース線１４ａ４，１４ｂ４とからなる。
【００２１】
高圧線１４ａ１，１４ｂ１と低圧線１４ａ２，１４ｂ２と中性線１４ａ３，１４ｂ３とアース線１４ａ４，１４ｂ４は、接続点１４ｃで接続され（合流させられ）、導電路１４は、以降、高圧線１４ａ１、低圧線１４ａ２、中性線１４ａ３、アース線１４ａ４に集約され、それらを介して２基の発電機Ａ，Ｂの合成された発電出力が出力コンセントＯｅに出力される。
【００２２】
電流センサ１６ａ，１６ｂは導電路１４、より具体的には導電路１４の内の高圧線１４ａ１，１４ｂ１に開閉装置２２の上流側において接続（配置）され、プラグＰａ，Ｐｂの一方から他方に流れる電流（横流）に応じた出力を生じる（電流の有無を検出する）。電流センサ１６ａ，１６ｂの出力は、ＥＣＵ２０に送られる。
【００２３】
開閉装置２２は導電路１４において接続点１４ｃの上流側に介挿され、リレー２２ａを備える。リレー２２ａは、コイル２２ａ１と、高圧線１４ａ１，１４ｂ１と中性線１４ａ３，１４ｂ３に介挿される接点２２ａ２からなる。リレー２２ａの接点２２ａ２は常閉型であり、コイル２２ａ１が消磁される限り、閉じられて発電機Ａ，Ｂの出力を出力コンセントＯｅに送る。
【００２４】
一方、コイル２２ａ１が励磁されると、接点２２ａ２は開放されて導電路１４は開放され、発電機Ａ，Ｂの出力の出力コンセントＯｅへの供給は阻止されると共に、プラグが外れた場合に外れたプラグに他方の発電機の出力がそのまま現れるのが防止される。接点２２ａ２は手動でも開閉自在に構成される。尚、開閉装置２２において接点２２ａ２の上流に配置されるコイル２２ｂは過電流検出用である。開閉装置２２のリレー２２ａのコイル２２ａ１は、コネクタ２２ｃ，２２ｄを介してＥＣＵ２０に接続される。
【００２５】
開閉装置２２の両側の二重丸は端子を示す。開閉装置２２の下流にはブレーカ（図示せず）が配置され、過電流などによって電気負荷１２が過負荷となったとき、導電路１４を開放する。
【００２６】
尚、高圧線１４ａ１，１４ａ２と端子２８の間には動作電源生成回路（図示せず）が設けられる。動作電源生成回路は、高圧線１４ａ１，１４ａ２の端子間電圧ＡＣ２４０Ｖを１２Ｖあるいは５Ｖ程度の直流に変換し、ＥＣＵ２０などに動作電源として供給する。
【００２７】
２基の発電機Ａ，Ｂは、故障診断機能用など種々の接続用端子、具体的には故障診断機能用で送信用のＴｘ−Ｄ端子１００ａ，１００ｂ、受信用のＲｘ−Ｄ端子１０２ａ，１０２ｂ、アース（ＧＮＤ）端子１０４ａ，１０４ｂ、電源（１２Ｖ）供給用端子１０６ａ、１０６ｂと、同様にマイクロコンピュータからなる電子制御ユニット（Electronic Control Unit。ＥＣＵ）１１０ａ，１１０ｂを備える（以下の説明ではａ，ｂの付記を省略する）。
【００２８】
装置１０のＥＣＵ２０は、故障診断機能用の送信用のＴｘ−Ｄ端子１００、受信用のＲｘ−Ｄ端子１０２、アース（ＧＮＤ）端子１０４、電源供給用端子１０６に信号線２４と端子２６を介して接続可能に構成され、よってＥＣＵ２０は、Ｔｘ−Ｄ端子１００とＲｘ−Ｄ端子１０２を介して発電機Ａ，ＢのＥＣＵ１１０と通信自在に構成される。
【００２９】
図２は、そのＥＣＵ２０の構成を示すブロック図である。
【００３０】
図示の如く、ＥＣＵ２０はＣＰＵ２０ａと、機種判定部２０ｂと、リレー駆動部２０ｃを備える。
【００３１】
ＣＰＵ２０ａは入力ポート２０ａ１，２０ａ２，２０ａ３，出力ポート２０ａ４、入力ポート２０ａ５、出力ポート２０ａ６，２０ａ７を備え、ＣＰＵ２０ａにおいて電流センサ１６ａ，１６ｂの出力は入力ポート２０ａ１，２０ａ２から入力される。
【００３２】
発電機Ａ，ＢのＴｘ−Ｄ端子１００、Ｒｘ−Ｄ端子１０２、アース端子１０４、電源供給用端子１０６は、端子２６を介してＥＣＵ２０の機種判定部２０ｂに入力される。
【００３３】
機種判定部２０ｂは、絶縁用のフォトカプラ２０ｂ１１（２０ｂ１２），２０ｂ２１（２０ｂ２２）を備える。フォトカプラ２０ｂ１１（２０ｂ１２）において発電機Ａ，Ｂの電源供給用端子１０６からアース端子１０４に電流が流されると、フォトダイオードが点灯し、対応するフォトトランジスタが導通し、Ｒｘ−Ｄ端子１０２の電位がＨからＬレベルとなる。他方、フォトカプラ２０ｂ２１（２０ｂ２２）においてフォトダイオードが通電されて点灯すると、対応するフォトトランジスタが導通して電位がＨからＬレベルとなる。
【００３４】
Ｒｘ−Ｄ端子１０２とＴｘ−Ｄ端子１００は入力ポート２０ａ３（２０ａ５）、出力ポート２０ａ４（２０ａ６）を介してＣＰＵ２０ａに接続され、よってＥＣＵ２０のＣＰＵ２０ａは、Ｔｘ−Ｄ端子１００とＲｘ−Ｄ端子１０２を介して発電機Ａ，ＢのＥＣＵ１１０と通信自在に構成される。
【００３５】
リレー駆動部２０ｃはＦＥＴ２０ｃ１を備える。ＦＥＴ２０ｃ１のゲート端子はＣＰＵ２０ａの出力ポート２０ａ７に接続されると共に、ソース側は制御用コイル２０ｃ２を介して動作電源生成回路で生成された１２Ｖ電源に接続され、ドレイン側は接地される。
【００３６】
ＣＰＵ２０ａの出力ポート２０ａ７から負電圧が出力されると、ＦＥＴ２０ｃ１は導通せず、制御用コイル２０ｃ２が消磁されて接点２０ｃ３は閉鎖され、高圧線１４ａ１と中性線１４ａ３に接続されるコイル２２ａ１も消磁され、４個の接点２２ａ２は閉鎖（リレーＯＦＦ）される。よって発電機Ａ，Ｂは、導電路１４を介して電気負荷１２に接続される。
【００３７】
他方、ＣＰＵ２０ａの出力ポート２０ａ７から正電圧が出力されると、ＦＥＴ２０ｃ１は導通し、制御用コイル２０ｃ２とコイル２２ａ１が励磁されて４個の接点２２ａ２は開放（リレーＯＮ）され、発電機Ａ，Ｂと電気負荷１２との接続は阻止される。このように、ＥＣＵ２０は、電流センサ１６の出力および後述する機種ＩＤの判定結果に応じて開閉装置２２を開放・閉鎖する開閉装置駆動手段として動作する。
【００３８】
図３は、ＥＣＵ２０の開閉装置駆動手段としての動作を示すフロー・チャート、図４はその動作を説明するタイム・チャートである。
【００３９】
ＥＣＵ２０は、発電機Ａ，Ｂの少なくともいずれかがリコイルスタータ（あるいはセルスタータ）で始動され、図４（ａ）の上部に示すように出力を生じたとき（リレー２２ａがＯＦＦされるとき）、図３フロー・チャートに示す処理を開始する。
【００４０】
以下説明すると、Ｓ１０において信号線２４ａとＴｘ−Ｄ端子１００ａを介して発電機ＡのＥＣＵ１１０ａと通信し、発電機Ａに対して機種ＩＤを示す信号を要求する。この「機種ＩＤ」は機種を意味する識別子で、機種ごとに異なる。前記した如く、発電機Ａ，Ｂは同一の出力を有することから、機種ＩＤは同一となる。
【００４１】
次いでＳ１２に進み、Ｒｘ−Ｄ端子１０２ａを介して機種ＩＤを示す信号を受領、即ち、入力したか否か判断し、肯定されるときはＳ１４に進み、受領（入力）した信号に示される機種ＩＤがメモリ（図示せず）に予め記憶されているデータに該当するか否か判定する。
【００４２】
発電機Ａと同一機種である発電機Ｂは当然接続可能であるが、メモリには、それ以外にも、機種は装置するが、出力が同一であって発電機Ａ（あるいはＢ）と接続可能な発電機の機種ＩＤが格納される。
【００４３】
Ｓ１４で肯定されるときはＳ１６に進み、同様に信号線２４ｂとＴｘ−Ｄ端子１００ｂを介して発電機ＢのＥＣＵ１１０ｂと通信し、発電機Ｂに対して機種ＩＤを示す信号を要求する。
【００４４】
次いでＳ１８に進み、Ｒｘ−Ｄ端子１０２ｂを介して機種ＩＤを示す信号を受領（入力）したか否か判断し、肯定されるときはＳ２０に進み、受領（入力）した信号に示される機種ＩＤがメモリに予め記憶されているデータに該当するか否か判定する。
【００４５】
Ｓ２０で肯定されるときはＳ２２に進み、出力ポート２０ａ５から負電圧を出力し（リレー２２ａＯＦＦ）、より正確には図３フロー・チャートは出力ポート２０ａ７から負電圧を出力してリレー２２ａを消磁して処理が開始されることから、負電圧出力（リレー２２ａＯＦＦ）状態を継続する。
【００４６】
他方、Ｓ１２，Ｓ１４，Ｓ１８，Ｓ２０のいずれかで否定されるときはＳ２４に進み、出力ポート２０ａ５から正電圧を出力してリレー２２ａをＯＮさせ、導電路１４を開放して発電機Ａ，Ｂと電気負荷１２との接続を阻止する。
【００４７】
尚、発電機Ａ，Ｂの出力は、装置１０で合成されて出力コンセントＯｅから電気負荷１２に供給されるが、発電機Ａ，Ｂは、並列運転されるとき、出力電圧の大きさが等しく、出力電圧の周波数が等しく、かつ出力電圧の位相が等しくなるように同期運転させられる。
【００４８】
その並列運転において、発電機Ａに出力コンセントＯａを介して接続されるプラグＰａと発電機Ｂに出力コンセントＯｂを介して接続されるプラグＰｂのいずれか、例えばプラグＰｂが誤って出力コンセントＯｂから外れると（引き抜かれると）、プラグＰｂの電圧端子Ｐｂ１，Ｐｂ２には発電機Ａが発電する出力がそのまま現れてしまう恐れがある。
【００４９】
図５は、図３の処理に引き続いて実行される、ＥＣＵ２０のプラグ外れ検知動作を示すフロー・チャートである。
【００５０】
以下、説明すると、Ｓ１００で電流センサ１６ａ，１６ｂの出力からプラグＰａ，Ｐｂの一方から他方に流れているか否か判断し、肯定されるときはＳ１０２に進み、負電圧出力（リレー２２ａＯＦＦ）状態を継続し、Ｓ１００に戻って上記した判断を繰り返す一方、Ｓ１００で否定されるときはＳ１０４に進み、出力ポート２０ａ５から正電圧を出力してリレー２２ａをＯＮさせ、導電路１４を開放して発電機Ａ，Ｂと電気負荷１２との接続を阻止する。
【００５１】
この実施例に係る発電機の並列運転接続装置１０は上記の如く構成したので、並列運転専用のコンセントなどを必要とすることなく、外れたプラグＰａ，Ｐｂの端子に他方の発電機の出力が現れるのを防止できると共に、発電機Ａ，Ｂの機種ＩＤが予め記憶されているデータに該当するか否か判定することで、接続可能な発電機か否か判断することができ、発電機の破損も防止することができる。
【００５２】
また、予め記憶されているデータが複数の機種ＩＤを含むと共に、入力した信号に示される機種ＩＤがデータに含まれる複数の機種ＩＤのいずれかに該当すると判定されるとき、２基の発電機Ａ，Ｂを電気負荷１２に接続する如く構成したので、上記した効果に加え、接続可能な発電機か否かを一層適切に判断することができる。
【００５３】
また、接続用端子が発電機Ａ，Ｂの故障診断機能のＴｘ−Ｄ端子１００，Ｒｘ−Ｄ端子１０２である如く構成したので、上記した効果に加え、特別の接続用端子などを必要とすることなく、接続可能な発電機か否かを簡易に判断することができる。
【００５４】
この実施例にあっては、複数（２基）の発電機Ａ，Ｂを電気負荷１２に接続可能な導電路１４と、前記導電路１４を開閉する開閉装置２２とを備え、前記導電路１４を介して前記複数の発電機Ａ，Ｂを前記電気負荷１２に接続して並列運転させる接続装置１０において、前記複数の発電機Ａ，Ｂの接続用端子（故障診断機能用の送信用のＴｘ−Ｄ端子１００、受信用のＲｘ−Ｄ端子１０２、遠隔操作装置１２０用のＲＥＭ端子１１２とＰＬ端子１１４）を介して前記複数の発電機Ａ，Ｂのそれぞれから機種ＩＤを示す信号を入力し（Ｓ１０，Ｓ１２，Ｓ１６，Ｓ１８）、前記入力した信号に示される機種ＩＤが予め記憶されているデータに該当するか否か判定する機種ＩＤ判定手段（Ｓ１４，Ｓ２０）と、前記入力した信号に示される機種ＩＤが前記データに該当すると判定されるとき、前記開閉装置２２を閉鎖して前記導電路１４を介して前記複数の発電機Ａ，Ｂを前記電気負荷１２に接続すると共に（Ｓ２２）、前記開閉装置２２を閉鎖した後、前記導電路１４を流れる電流の有無を検出し、前記電流が検出されないとき、前記開閉装置２２を開放して前記導電路１４を開放する開閉装置駆動手段（Ｓ１００からＳ１０４）とを備える如く構成した。
【００５５】
また、前記予め記憶されているデータが複数の機種ＩＤを含むと共に、前記開閉装置駆動手段は前記入力した信号に示される機種ＩＤが前記データに含まれる複数の機種ＩＤのいずれかに該当すると判定されるとき、前記開閉装置２２を閉鎖して前記複数の発電機Ａ，Ｂを前記電気負荷１２に接続する（Ｓ２２）如く構成した。
【００５６】
また、前記接続用端子が、前記発電機の故障診断機能または遠隔操作装置の接続用端子（故障診断機能用の送信用のＴｘ−Ｄ端子１００、受信用のＲｘ−Ｄ端子１０２、遠隔操作装置１２０用のＲＥＭ端子に接続される端子１１２とＰＬ端子に接続される端子１１４）である如く構成した。
【００５７】
尚、上記した実施例において、発電機Ａ，Ｂを２基並列運転させる場合を説明したが、この発明は３基以上を並列運転させる場合にも妥当する。
【図面の簡単な説明】
【００５８】
【図１】この発明の実施例に係る発電機の並列運転接続装置を全体的に示すブロック図である。
【図２】図１に示す装置の中のＥＣＵの構成を示すブロック図である。
【図３】図２に示すＥＣＵの動作を示すフロー・チャートである。
【図４】図３の動作を説明するタイム・チャートである。
【図５】図２に示すＥＣＵの別の動作を示すフロー・チャートである。
【符号の説明】
【００５９】
Ａ，Ｂ  発電機、１０  発電機の並列運転接続装置、１２  電気負荷、１４  導電路、１４ａ１，１４ａ２，１４ｂ１，１４ｂ２  高圧線、１４ａ３，１４ｂ３  中性線、１４ａ４，１４ｂ４  アース線、１６  電流センサ、２０  ＥＣＵ（電子制御ユニット）、２０ａ  ＣＰＵ、２０ｂ  機種判定部、２０ｃ  リレー駆動部、２２  開閉装置、２２ａ  リレー、２２ａ１  コイル、２２ａ２  接点、２４，２４０  信号線、２６，２６０  端子、１００  接続用端子（故障診断機能用のＴｘ−Ｄ端子）、１０２  接続用端子（故障診断機能用のＲｘ−Ｄ端子）、１１０  発電機のＥＣＵ、１１２  接続用端子（遠隔操作装置のＲＥＭ端子）、１１４  接続用端子（遠隔操作装置のＰＬ端子）、１２０  遠隔操作装置
【図１】
2010011535.tif 000003
【図２】
2010011535.tif 000004
【図３】
2010011535.tif 000005
【図４】
2010011535.tif 000006
【図５】
2010011535.tif 000007